(57)【特許請求の範囲】
【請求項１】
それぞれ交差する二方向のうち、一方を長さ方向とし、他方を幅方向として拡がる面を有する板状の基板に、アンテナパターンを形成してなるアンテナであって、
前記アンテナパターンは、
前記基板における前記長さ方向の一端側に向いた開口を有するスリット部と、
前記スリット部において前記幅方向に開口を挟む２箇所それぞれから、前記基板における前記長さ方向の一端に向けて延びる一対の延出部と、
前記延出部それぞれから一対の前記延出部に挟まれた領域に向けて延びる突起を、前記長さ方向に沿って複数配置したコルゲート構造の突起部と、を備えている
ことを特徴とするアンテナ。
【請求項２】
前記アンテナパターンにおいて、
前記スリット部は、少なくとも、前記基板における前記幅方向の一端側において前記長さ方向の他端側から一端側に向けて延びる第１線と、前記第１線における前記長さ方向の一端から前記長さ方向の他端側および前記第１線を離れる方向に向けて延びる第２線と、前記基板における前記幅方向の他端側において前記長さ方向の他端側から一端側に向けて延びる第３線と、前記第３線における前記長さ方向の一端から前記長さ方向の他端側および前記第３線を離れる方向に向けて延びる第４線と、で囲まれた領域を有しており、
前記延出部は、前記スリット部における前記第１線および前記第３線の一端それぞれから、前記基板における前記長さ方向の一端に向けて延びている
ことを特徴とする請求項１に記載のアンテナ。
【請求項３】
前記アンテナパターンにおいて、
一対の前記延出部それぞれの間隔は、所定の距離範囲内に設定されている
ことを特徴とする請求項２に記載のアンテナ。
【請求項４】
前記アンテナパターンにおいて、
前記スリット部は、該スリット部における前記長さ方向の他端側かつ前記幅方向の一端側から、前記基板における前記幅方向の一端に向けて突出する第１スタブと、該スリット部における前記長さ方向の他端側かつ前記幅方向の他端側から、前記基板における前記幅方向の他端に向けて突出する第２スタブと、を有している
ことを特徴とする請求項１から３のいずれかに記載のアンテナ。
【請求項５】
前記アンテナパターンにおいて、
前記突起部は、前記延出部のうち、少なくとも前記基板における前記長さ方向の一端に至る領域までにわたって突起が配置されている
ことを特徴とする請求項１から４のいずれかに記載のアンテナ。
【請求項６】
前記アンテナパターンにおいて、
前記スリット部の前記幅方向を所定割合で２分割した一方の前記スリット部、および、該スリット部から延びる前記延出部は、前記基板における表面に形成され、前記２分割した他方の前記スリット部、および、該スリット部から延びる前記延出部は、前記基板における裏面に形成されており、
前記スリット部は、前記基板の表面に他方の前記スリット部を投影した場合または前記基板の裏面に一方の前記スリット部を投影した場合に、前記基板における前記長さ方向の一端側に向いた開口を有する形状が形成される
ことを特徴とする請求項１から５のいずれかに記載のアンテナ。
【請求項７】
請求項１から６のいずれかに記載のアンテナをｍ×ｎ（２≦ｍ，１≦ｎ）に配置した
ことを特徴とするセンサ。
【発明の詳細な説明】
【技術分野】
【０００１】
本発明は、基板にアンテナパターンを形成してなるアンテナに関する。
【背景技術】
【０００２】
近年、ミリ波などの電波を送信または受信するためのアンテナとして、電波を送信または受信する側に向いた開口を有するスロット状のアンテナパターンを基板上に形成するアンテナが提案されている（特許文献１参照）。
【先行技術文献】
【特許文献】
【０００３】
【特許文献１】特許第３４６２９５９号公報
【発明の概要】
【発明が解決しようとする課題】
【０００４】
しかし、上述したアンテナにおいては、電波の送信または受信に際し、送信方向または受信方向以外へも電界分布が拡がりやすいため、アンテナとしての指向性を充分に高めることができているとはいえない。
【０００５】
本発明は、このような課題を解決するためになされたものであり、その目的は、従来よりもアンテナとしての指向性を高めるための技術を提供することである。
【課題を解決するための手段】
【０００６】
上記課題を解決するため第１の構成（請求項１）は、それぞれ交差する二方向のうち、一方を長さ方向とし、他方を幅方向として拡がる面を有する板状の基板に、アンテナパターンを形成してなるアンテナである。これらのうち、前記アンテナパターンは、前記基板における前記長さ方向の一端側に向いた開口を有するスリット部と、前記スリット部において前記幅方向に開口を挟む２箇所それぞれから、前記基板における前記長さ方向の一端に向けて延びる一対の延出部と、前記延出部それぞれから一対の前記延出部に挟まれた領域に向けて延びる突起を、前記長さ方向に沿って複数配置したコルゲート構造の突起部と、を備えている。
【０００７】
この構成における延出部は、原則、長くなるほどアンテナとしての指向性が高まるように作用するため、充分に指向性を高められる程度の長さだけ延びたものとすればよい。
また、突起部における各突起は、送信または受信する電波の波長に応じた長さ（＝λ／４）だけ突出したものとすることが指向性を高めるうえで望ましい。
【０００８】
また、上記アンテナパターンにおけるスリット部は、基板の一端側に向いた開口を有するものであれば、具体的な形状については特に限定されないが、上記構成を第２の構成（請求項２）のようにすることが考えられる。
【０００９】
第２の構成を具体的に示すと、前記アンテナパターンにおいて、前記スリット部は、少なくとも、前記基板における前記幅方向の一端側において前記長さ方向の他端側から一端側に向けて延びる第１線と、前記第１線における前記長さ方向の一端から前記長さ方向の他端側および前記第１線を離れる方向に向けて延びる第２線と、前記基板における前記幅方向の他端側において前記長さ方向の他端側から一端側に向けて延びる第３線と、前記第３線における前記長さ方向の一端から前記長さ方向の他端側および前記第３線を離れる方向に向けて延びる第４線と、で囲まれた領域を有しており、前記延出部は、前記スリット部における前記第１線および前記第３線の一端それぞれから、前記基板における前記長さ方向の一端に向けて延びている、といった構成である。
【００１０】
また、この構成では、第１線および第３線の一端それぞれから延出部が延びる形状となるため、スリット部から延出部に至る形状を一体的なものとすることができる。
この構成におけるスリット部のうち、第２線の他端と第４線の他端とは、それぞれが直接的に接続されてもよいし、別の線を介して間接的に接続されてもよい。
【００１１】
また、上記アンテナパターンにおける延出部同士の間隔は、送信または受信する電波の周波数などの使用環境に応じて最適な間隔とすればよく、具体的な間隔については特に限定されない。
【００１２】
例えば、第３の構成（請求項３）のように、前記アンテナパターンにおいて、一対の前記延出部それぞれの間隔は、所定の距離範囲内に設定されている、というようにすればよい。
【００１３】
また、上記各構成においては、上記各構成を第４の構成（請求項４）のようにすることが考えられる。
第４の構成を具体的に示すと、前記アンテナパターンにおいて、前記スリット部は、該スリット部における前記長さ方向の他端側かつ前記幅方向の一端側から、前記基板における前記幅方向の一端に向けて突出する第１スタブと、該スリット部における前記長さ方向の他端側かつ前記幅方向の他端側から、前記基板における前記幅方向の他端に向けて突出する第２スタブと、を有している、といった構成である。
【００１４】
この構成における第１，第２スタブについては、それぞれ送信または受信する電波の波長に応じた長さ（＝λ／４）だけ突出したものとすることが、スリット部の外周面を流れる高周波電流の回り込みを防止して指向性を高めるうえで望ましい。
【００１５】
また、上記各構成において、突起部の各突起は、延出部における一部領域にのみ配置されたものとしてもよいし、第５の構成（請求項５）のように、前記アンテナパターンにおいて、前記突起部は、前記延出部のうち、少なくとも前記基板における前記長さ方向の一端に至る領域までにわたって突起が配置されている、としてもよい。
【００１６】
また、上記各構成におけるスリット部は、基板における表面または裏面のみに形成されていればよいが、複数に分けて表面および裏面それぞれに形成されたものとしてもよく、この場合、上記各構成を第６の構成（請求項６）のようにすることが考えられる。
【００１７】
第６の構成を具体的に示すと、前記アンテナパターンにおいて、前記スリット部の前記幅方向を所定割合で２分割した一方の前記スリット部、および、該スリット部から延びる前記延出部は、前記基板における表面に形成され、前記２分割した他方の前記スリット部、および、該スリット部から延びる前記延出部は、前記基板における裏面に形成されており、前記スリット部は、前記基板の表面に他方の前記スリット部を投影した場合または前記基板の裏面に一方の前記スリット部を投影した場合に、前記基板における前記長さ方向の一端側に向いた開口を有する形状が形成される、といった構成である。
【００１８】
この構成において、スリット部は、幅方向を所定割合で２分割すればよく、その具体的な割合や形状については特に限定されない。例えば、上記第２の構成のように、第１線〜第４線で囲まれた領域をスリット部とする場合であれば、第１線と第２線とで囲まれた領域と、第３線と第４線とで囲まれた領域と、を２分割することが考えられる。
【００１９】
また、上記課題を解決するため第７の構成（請求項７）は、上記第１から第６のいずれかの構成に係るアンテナをｍ×ｎ（２≦ｍ，１≦ｎ）に配置したことを特徴とするセンサである。
【発明の効果】
【００２０】
第１の構成に係るアンテナによれば、スリット部において幅方向に開口を挟む２箇所それぞれから、基板における長さ方向の一端に向けて延出部が延びており、さらに、この延出部にコルゲート構造の突起部が設けられている。これら延出部および突起部により、電波の送信または受信に際して、電界分布が送信または受信方向以外へと拡がることが抑制されるため、アンテナとしての指向性を高めることができる。
【００２１】
また、上述したアンテナは、一列または複数列にわたって配置し、それぞれに対象物から放射される電波を受信させることで、センサとして使用することも想定されており、この場合、各アンテナによる検出範囲が重ならないように間隔をあけて配置する必要がある。ところが、上記構成のように、アンテナとしての指向性が高ければ、各アンテナにより検出範囲を絞ることができるため、各アンテナの間隔を狭めた状態で配置することができ、結果的にセンサ全体としての小型化を実現できる。
【００２２】
さらに、上記構成では、延出部に設けられた突起部が、一対の延出部に挟まれた領域に向けて突起を突出させているため、一対の延出部に挟まれた領域から離れる方向に突起を突出させる場合に比べ、外側への突出物がなくなるという点で、アンテナ素子としての小型化はもちろん、センサとして使用する場合におけるセンサ全体としての小型化にも寄与するものとなっている。
【００２３】
第２の構成であれば、第１線〜第４線により囲まれた領域によりスリット部を形成することができる。
第３の構成であれば、延出部それぞれの間隔を、送信または受信する電波の周波数などの使用環境に応じて最適な間隔としておくことにより、使用環境に適した性能を発揮させることができる。
【００２４】
第４の構成であれば、スリット部における長さ方向の他端側から幅方向に突出する第１，第２スタブにより、電波の送信または受信に際して、電界分布が送信または受信方向以外へと拡がることが抑制されるため、アンテナとしての指向性をより高めることができる。
【００２５】
第５の構成であれば、基板における長さ方向の一端側に至る延出部の領域にわたって配置された突起部により、電波の送信または受信に際して、電波の送信または受信に際して、電界分布が送信または受信方向以外へと拡がることを抑制することができる。
【００２６】
第６の構成であれば、基板の表裏両面にアンテナパターンを形成することにより、パターン形成の自由度を高めることができる。
第７の構成に係るセンサであれば、上記各構成と同様の作用、効果を得ることができる。
【図面の簡単な説明】
【００２７】
【図１】アンテナの全体を示す図
【図２】アンテナにおけるスリット部を示す図
【図３】アンテナの表面および裏面を示す図
【図４】アンテナの具体的な寸法例を示す図
【図５】別の実施形態におけるスリット部を示す図
【図６】別の実施形態におけるスリット部を示す図
【図７】別の実施形態におけるアンテナを示す図
【図８】別の実施形態における突起部を示す図
【発明を実施するための形態】
【００２８】
以下に本発明の実施形態を図面と共に説明する。
（１）全体構成
アンテナ１は、図１に示すように、板状の基板１０に、アンテナパターン２０を形成したものであり、これらアンテナ１をｍ×ｎ（２≦ｍ，１≦ｎ）に配置することでセンサ２を構成可能なものである。
【００２９】
基板１０は、それぞれ交差する二方向のうち、一方を長さ方向（図１における左右方向）とし、他方を幅方向（図１における上下方向）として拡がる面を有する板状の部材であり、本実施形態では、長さ方向に延びる長方形となっている。なお、この基板１０は、アンテナ１全体を小型化するという観点でみると、誘電率の高い素材を用いることが望ましい。
【００３０】
アンテナパターン２０は、基板１０における長さ方向の一端１１側に向いた開口２１を有するスリット部２３と、スリット部２３において幅方向に開口２１を挟む２箇所それぞれから、基板１０における長さ方向の一端１１に向けて延びる一対の延出部２５と、延出部２５それぞれから一対の延出部２５に挟まれた領域に向けて延びる突起を、長さ方向に沿って複数配置したコルゲート構造の突起部２７と、を備えている。
【００３１】
これらのうち、スリット部２３は、図２に示すように、少なくとも、基板１０における幅方向の一端１３側において長さ方向の他端１５側から一端１１側に向けて延びる第１線３１と、第１線３１における長さ方向の一端から長さ方向の他端側および第１線３１を離れる方向に向けて延びる第２線３３と、基板１０における幅方向の他端１７側において長さ方向の他端１５側から一端１１側に向けて延びる第３線３５と、第３線３５における長さ方向の一端から長さ方向の他端側および第３線３５を離れる方向に向けて延びる第４線３７と、で囲まれた領域を形成している。なお、本実施形態において、第１線３１〜第４線３７は全て直線となっているが、これらは、直線以外の線となっていてもよい。
【００３２】
また、延出部２５は、スリット部２３における第１線３１および第３線３５の一端それぞれから、基板１０における長さ方向の一端１１に向けて延びている。これら延出部２５は、原則、長くなるほどアンテナとしての指向性が高まるように作用するため、充分に指向性を高められる程度の長さだけ延びたものとなっている。この延出部２５同士の間隔は、空間インピーダンスとの整合を重視する場合であれば、他端側よりも一端側が広くなるように配置され、指向性を絞り込むことを重視する場合であれば、一端から他端までが平行に延びるような位置関係で配置される。
【００３３】
なお、本実施形態において、延出部２５は、基板１０における幅方向それぞれの端部１３，１７から一定距離だけ幅方向の中心側へズラされた位置に配置されている。
また、一対の延出部２５それぞれの間隔は、所定の距離範囲内に設定されている。この所定範囲は、送信または受信する電波の周波数などの使用環境に応じて最適な間隔としてあらかじめ定められたものである。
【００３４】
また、突起部２７は、延出部２５のうち、基板１０における長さ方向の一端１１に至る領域までにわたって突起が配置された構成となっている。これら突起それぞれは、送信または受信する電波の波長に応じた長さ（＝λ／４）だけ突出したものとされている。
【００３５】
さらに、スリット部２３には、スリット部２３における長さ方向の他端側かつ幅方向の一端側から、基板１０における幅方向の一端１３に向けて突出する第１スタブ４１と、スリット部２３における長さ方向の他端側かつ幅方向の他端側から、基板１０における幅方向の他端１５に向けて突出する第２スタブ４３と、を有している。これら第１，第２スタブ４１，４３については、それぞれ送信または受信する電波の波長に応じた長さ（＝λ／４）だけ突出したものとされている。
【００３６】
ところで、本実施形態におけるアンテナパターン２０は、図３に示すように、スリット部２３の幅方向を所定割合で２分割した一方のスリット部２３ａ、および、スリット部２３ａから延びる延出部２５ａが、基板１０における表面に形成されており、２分割した他方のスリット部２３ｂ、および、スリット部２３ｂから延びる延出部２５ｂが、基板１０における裏面に形成されている。ここで、スリット部２３は、第１線３１および第２線３３で囲まれた領域と、第３線３５および第４線３７で囲まれた領域と、に分かれている。
【００３７】
つまり、スリット部２３は、基板１０の表面に他方のスリット部２３ｂを投影した場合または基板１０の裏面に一方のスリット部２３ａを投影した場合に、基板１０における長さ方向の一端１１側に向いた開口２１を有する形状が形成されることになる。本実施形態においては、基板１０に透過性の素材を用いているため、外見上、基板１０における長さ方向の一端１１側に向いた開口２１を有する形状が形成されている。
【００３８】
また、スリット部２３ａには、スリット部２３ａの他端から基板１０の他端まで線状に延びる給電線５２が接続されており、スリット部２３ｂには、スリット部２３ｂの他端から基板１０の他端まで面状に拡がる接地部５４が接続されている。
【００３９】
なお、アンテナ１は、接地部５４が受信機側または送信機側の接地面に接続され、給電線５２が受信機側または送信機側の増幅器に接続された状態で使用される。より具体的な例として、送受信機に用いられる場合であれば、接地部５４および給電線５２は、サーキュレータやスイッチング回路に接続されることになる。
【００４０】
上記構成に係るアンテナ１については、アンテナ１により送信または受信する電波の周波数を７５ＧＨｚとし、アンテナ１の先端（基板１０における長さ方向の一端１１）から対象物までの距離を２λとした環境での使用が想定されており、この場合、図４に示すように、各構成要素の寸法として下記の値が選択することが考えられる。なお、下記構成要素それぞれの寸法は、使用環境に応じて最適な値が変わりうるものであり、本発明の構成要素における寸法を以下の値に限定することを意味するものではない。
【００４１】
まず、基板１０は、長さとして３８ｍｍ、幅として４ｍｍ、板厚として０．０５ｍｍを選択することが考えられる。また、スリット部２３は、長さとして８．５ｍｍを選択することが考えられる。また、延出部２５は、長さとして１６．５ｍｍが選択され、延出部２５それぞれの間隔として２．８５ｍｍまたは２．６５ｍｍが選択されており、基板１０の端部１３，１７からの距離として０．６ｍｍを選択することが考えられる。
【００４２】
なお、上述した使用環境において、（ａ）従来のアンテナ、（ｂ）上記実施形態のアンテナ１において延出部２５それぞれの間隔に２．８５ｍｍを選択し、かつ、第１，第２スタブ４１，４３が備えられていない場合、（ｃ）同アンテナ１において延出部２５それぞれの間隔に２．８５ｍｍを選択した場合、（ｄ）同アンテナ１において延出部２５それぞれの間隔に２．６５ｍｍを選択した場合、についてのＶＳＷＲは、（ａ）３．３４、（ｂ）２．７９、（ｃ）２．６１、（ｄ）１．３６、となり、上記実施形態の構成はいずれも従来のアンテナに比べて改善傾向を示している。
（２）作用，効果
上記実施形態のアンテナ１によれば、スリット部２３において幅方向に開口２１を挟む２箇所それぞれから、基板１０における長さ方向の一端１１に向けて延出部２５が延びており、さらに、この延出部２５にコルゲート構造の突起部２７が設けられている。
【００４３】
これら延出部２５および突起部２７により、電波の送信または受信に際して、電界分布が送信または受信方向以外へと拡がることが抑制されるため、アンテナ１としての指向性を高めることができる。
【００４４】
また、この種のアンテナは、一列または複数列にわたって配置し、それぞれに対象物から放射される電波を受信させることで、センサ２として使用することも想定されており、この場合、各アンテナによる検出範囲が重ならないように間隔をあけて配置する必要がある。ところが、上記実施形態のように、アンテナとしての指向性が高ければ、各アンテナ１により検出範囲を絞ることができるため、各アンテナ１の間隔を狭めた状態で配置することができ、結果的にセンサ２全体としての小型化を実現できる。
【００４５】
さらに、上記実施形態では、延出部２５に設けられた突起部２７が、一対の延出部２５に挟まれた領域に向けて突起を突出させているため、一対の延出部２５に挟まれた領域から離れる方向に突起を突出させる場合に比べ、外側への突出物がなくなるという点で、アンテナ素子としての小型化はもちろん、センサ２として使用する場合におけるセンサ２全体としての小型化にも寄与するものとなっている。
【００４６】
また、上記実施形態においては、第１線３１〜第４線３７により囲まれた領域によりスリット部２３を形成することができる。
また、第１線３１および第３線３５の一端それぞれから延出部２５が延びる形状となるため、スリット部２３から延出部２５に至る形状を一体的なものとすることができる。
【００４７】
また、上記実施形態においては、延出部２５それぞれの間隔を、送信または受信する電波の周波数などの使用環境に応じて最適な間隔としておくことにより、使用環境に適した性能を発揮させることができる。
【００４８】
また、上記実施形態においては、スリット部２３における長さ方向の他端側から幅方向に突出する第１，第２スタブ４１，４３により、電波の送信または受信に際して、電界分布が送信または受信方向以外へと拡がることが抑制されるため、アンテナ１としての指向性をより高めることができる。
【００４９】
また、上記実施形態においは、基板１０における長さ方向の一端１１側に至る延出部２５の領域にわたって配置された突起部２７により、電波の送信または受信に際して、電波の送信または受信に際して、電界分布が送信または受信方向以外へと拡がることを抑制することができる。
【００５０】
また、上記実施形態においては、基板１０の表裏両面にアンテナパターン２０を形成することにより、パターン形成の自由度を高めることができる。
（３）変形例
以上、本発明の実施の形態について説明したが、本発明は、上記実施形態に何ら限定されることはなく、本発明の技術的範囲に属する限り種々の形態をとり得ることはいうまでもない。
【００５１】
例えば、上記実施形態においては、基板１０が長さ方向に延びる長方形となっている構成を例示したが、基板１０については、それぞれ交差する二方向に拡がる面を有する板状の部材であればよく、長方形以外の形状であってもよい。
【００５２】
また、上記実施形態においては、スリット部２３における第２線３３の他端と第４線３７の他端とがそれぞれ直接的に接続されている構成を例示したが、別の線を介して間接的に接続された構成としてもよい。
【００５３】
また、上記実施形態においては、２分割したスリット部２３ａ，２３ｂを基板１０における表裏それぞれの面に形成した構成を例示したが、スリット部２３は、基板１０における長さ方向の一端１１側に向いた開口２１を有する形状を形成するものであれば、基板１０における表面にのみ形成した構成としてもよく、また、３分割以上に分けたものを表裏の各面に形成した構成としてもよい。
【００５４】
また、上記実施形態において、突起部２７は、延出部２５のうち、基板１０における長さ方向の一端１１に至る領域までにわたって突起が配置されていればよく、延出部２５とスリット部２３との接点から突起が配置された構成としてもよいし、その接点から基板の一端１１に向かう所定距離だけ離れた箇所から突起が配置された構成としてもよい。
【００５５】
また、上記実施形態において、スリット部２３に設けられた第１，第２スタブ４１，４３は、基板１０における幅方向の一端１３または他端１７に向けて突出するように構成されているものを例示したが、スリット部２３の外周面を流れる高周波電流の回り込みを防止することができればよく、これ以外の構成とすることも考えられる。
【００５６】
具体的な例としては、図５（ａ）に示すように、スリット部２３ａ，２３ｂの他端から長さ方向に突出する構成のスタブ４５ａ，４５ｂ、図５（ｂ）に示すように、スリット部２３の他端側から斜め方向に形成されたスリット４９ａ，４９ｂ、などが考えられる。
【００５７】
また、上記実施形態において、突起部２７の突起それぞれは、延出部２５から基板１０の幅方向に沿って真っ直ぐ延びている構成を例示したが、例えば、指向性を充分に絞り込むことができる程度に、基板１０の幅方向に対して斜め、または、曲線状に延びる構成としてもよい。
【００５８】
また、上記実施形態においては、スリット部２３が略Ｖ字状に開口し、他端側が基板１０の幅方向に対して斜めになっている構成を例示したが、このスリット部２３の開口は、図６に示すように、他端側が基板１０の幅方向に延びる平面状の終端壁２３ｃとなっていてもよい。
【００５９】
この場合、図７（ａ），（ｂ）に示すように、基板１０における表面にのみスリット部２３を形成し、裏面にスリット部２３と電気的に接続されていないプローブ６２を形成することが、交差偏波特性を向上させる意味で好適である。なお、基板１０が多層基板の場合であれば、プローブ６２が形成された面については、スリット部２３が形成されていない層の面として設けてもよい。
【００６０】
また、上記実施形態においては、全ての突起部２７が、送信または受信する１種類の電波における波長に応じた長さとなっている構成を例示したが、この突起部２７は、図８（ａ）〜（ｃ）に示すように、複数種類の電波における電波それぞれに応じた長さとなっている複数の領域から構成されたものとしてもよい。ただし、突起部２７を複数の領域にて構成する場合には、延出部２５の一端に位置する領域を、最も低い周波数の電波に応じた長さとする（具体的には、最も長くする）ことが望ましい。
【符号の説明】
【００６１】
１…アンテナ、２…センサ、１０…基板、１１…長さ方向の一端、１３…幅方向の一端、１５…長さ方向の他端、１７…幅方向の他端、２０…アンテナパターン、２１…開口、２３…スリット部、２５…延出部、２７…突起部、３１…第１線、３３…第２線、３５…第３線、３７…第４線、４１…第１スタブ、４３…第２スタブ、４５ａ…スタブ、４７ａ…スリット、４９ａ…スリット、５２…給電線、５４…接地部、６２…プローブ。
【図２】
0005485771.tif 000002
【図１】
0005485771.tif 000003
【図３】
0005485771.tif 000004
【図４】
0005485771.tif 000005
【図５】
0005485771.tif 000006
【図６】
0005485771.tif 000007
【図７】
0005485771.tif 000008
【図８】
0005485771.tif 000009